(57)【要約】      （修正有）【課題】押圧部の押圧によるダメージを緩和すると共にマッサージ効果をより高めるマッサージ具を提供する。【解決手段】マッサージ具１０は、把持部２０と、延在部３０と、押圧部４０と、押さえ部材５０とよりなる。押圧部４０は、例えば軟質ウレタンフォームなどからなるウレタン材により球形状に成型されており、中心を貫通する貫通孔４２を有する。押圧部４０は、ウレタン製であるので、利用者の皮膚表面に衝突する際に変形して衝撃を緩和できるので、他の樹脂製あるいはゴム製のものに比べて皮膚へのダメージを抑制し、同じツボを繰り返したたいても当該皮膚表面に痛みが残らないようにコリを効果的に緩和できる。【選択図】図１
0003171544.tif 000002
【実用新案登録請求の範囲】
【請求項１】
把持部と、把持部の先端より延在する延在部と、延在部の先端に設けられた押圧部とを有するマッサージ具において、
前記押圧部をウレタン材により形成したマッサージ具。
【請求項２】
前記押圧部に貫通孔を設け、前記貫通孔に前記延在部の先端を貫通させるよう構成した請求項１に記載のマッサージ具。
【請求項３】
前記延在部の先端に前記押圧部を押さえる押さえ部材を結合させるよう構成した請求項２に記載のマッサージ具。
【請求項４】
前記押圧部に任意のキャラクタを形成するよう構成した請求項１乃至３の何れかに記載のマッサージ具。
【請求項５】
前記延在部にマッサージ効果の高いツボの位置を例示する表示部を設けてなる請求項１乃至４の何れかに記載のマッサージ具。
【請求項６】
前記延在部を前記把持部より分離し、
前記把持部の内部に前記延在部が軸方向に摺動可能に挿通されるテーパ状の挿通孔を設け、
使用する際には、前記延在部を前記把持部の挿通孔に対して軸方向に摺動させ、前記テーパ部の小径部が前記延在部を保持するよう構成した請求項１乃至５の何れかに記載のマッサージ具。
【考案の詳細な説明】
【技術分野】
【０００１】
本考案は手動で操作するマッサージ具に関する。
【背景技術】
【０００２】
例えば、家庭や職場などで簡易的にマッサージを行うマッサージ具がある（例えば、特許文献１参照）。
【０００３】
この種のマッサージ具は、手で把持する把持部と、把持部の先端より棒状に延在する延在部と、延在部の先端に設けられた押圧部とを有する。押圧部は、例えば、樹脂材又はゴムなどにより形成され、ハンマのように円柱形状あるいは球形状に形成されている。そのため、マッサージ具の把持部を把持して押圧部を肩や背中などのつぼに当接させることで、つぼを刺激すると共に、血行を促進して体のコリを緩和することができる。
【先行技術文献】
【特許文献】
【０００４】
【特許文献１】実開平０７−００５６３１号公報
【考案の概要】
【考案が解決しようとする課題】
【０００５】
上記従来のマッサージ具は、押圧部が比較的硬く形成されており、高齢者の場合には、強くたたき過ぎるとコリが緩和されずに被押圧部分が痛くなるという問題があった。
【０００６】
また、押圧部にテニスボールのような空気が充填されたボールを用いたものが考えられるが、空気圧が徐々に低下するため、耐久性が低いという問題があった。
【０００７】
そこで、本考案は上記事情に鑑み、上記課題を解決したマッサージ具の提供を目的とする。
【課題を解決するための手段】
【０００８】
上記課題を解決するため、本考案は以下のような手段を有する。
（１）本考案は、把持部と、把持部の先端より延在する延在部と、延在部の先端に設けられた押圧部とを有するマッサージ具において、
前記押圧部を軟質ウレタンフォームにより形成したものである。
（２）本考案は、前記押圧部に貫通孔を設け、前記貫通孔に前記延在部の先端を貫通させるよう構成したものである。
（３）本考案は、前記延在部の先端に前記押圧部を押さえる押さえ部材を結合させるよう構成したものである。
（４）本考案は、前記押圧部に任意のキャラクタを形成するよう構成したものである。
（５）本考案は、前記延在部にマッサージ効果の高いツボの位置を例示する表示部を設けてなるものである。
（６）本考案は、前記延在部を前記把持部より分離し、
前記把持部の内部に前記延在部が軸方向に摺動可能に挿通されるテーパ状の挿通孔を設け、
使用する際には、前記延在部を前記把持部の挿通孔に対して軸方向に摺動させ、前記テーパ部の小径部が前記延在部を保持するよう構成したものである。
【考案の効果】
【０００９】
本考案によれば、押圧部を軟質ウレタンフォームにより形成したため、押圧部をコリのある箇所に押圧したときの衝撃が小さくなり、例えば高齢者の場合でも押圧部を強く押圧させてもマッサージ効果を得られると共に、被押圧部分への衝撃が緩和されて体の負担を軽減することができる。
【図面の簡単な説明】
【００１０】
【図１】本考案によるマッサージ具の一実施例を示す正面図である。
【図２】マッサージ具の各部を分解した状態を示す正面図である。
【図３】マッサージ具の変形例１を示しており、（Ａ）は正面図、（Ｂ）は平面図である。
【図４】マッサージ具の変形例２を示す正面図である。
【図５】マッサージのつぼの位置を示す表示部を拡大して示す正面図である。
【図６】マッサージ具の変形例３を示す正面図である。
【図７】変形例３の使用状態を示す正面図である。
【考案を実施するための形態】
【００１１】
以下、図面を参照して本考案を実施するための形態について説明する。
【実施例１】
【００１２】
図１は本考案によるマッサージ具の一実施例を示す正面図である。図２はマッサージ具の各部を分解した状態を示す正面図である。図１及び図２に示されるように、マッサージ具１０は、把持部２０と、延在部３０と、押圧部４０と、押さえ部材５０とよりなる。
【００１３】
把持部２０は、利用者が把持しやすい湾曲した形状に形成され、横断面形状が円形又は板状に形成されている。さらに、把持部２０の端部には、壁や家具などに取り付けられたフックに掛止される掛止溝２２が設けられている。
【００１４】
延在部３０は、把持部２０と共に樹脂材により一体成型されており、弾性変形しやすい太さで直線状に延在形成されている。また、延在部３０の先端３１より所定長さ位置（押圧部の直径+雄ネジの長さ）には、押圧部４０に当接する受け部３２が一体的に設けられている。受け部３２は、延在部３０の外周より半径方向に突出する円形の鍔形状に形成され、且つ上面側には押圧部４０に当接する当接面３４が形成されている。
【００１５】
さらに、延在部３０の先端３１の外周には、押さえ部材５０に螺合する雄ねじ３６が形成されている。また、押さえ部材５０は、延在部３０の雄ねじ３６が螺入される雌ねじ５２が形成され、且つ雌ねじ５２の外側には押圧部４０の先端側に当接する円形の当接面５４が設けられている。
【００１６】
押圧部４０は、例えば軟質ウレタンフォームなどからなるウレタン材により中実の球形状に成型されており、中心を貫通する貫通孔４２を有する。貫通孔４２は、延在部３０の先端３１の直径より僅かに大径となる内径で貫通している。
【００１７】
マッサージ具１０の組立て作業は、延在部３０の先端３１を押圧部４０の貫通孔４２に貫通させ、先端３１の雄ねじ３６に押さえ部材５０の雌ねじ５２を螺入させて締結することで完了する。押さえ部材５０を延在部３０の雄ねじ３６に締結することにより、延在部３０の受け部３２の当接面３４が押圧部４０の基端側に当接し、押さえ部材５０の当接面５４が押圧部４０の先端側に当接して押圧部材４０を上下方向から押さえる。
【００１８】
また、押圧部４０は、ウレタン材に形成されているので、従来のもの（例えば他の樹脂製又はゴム材のもの）よりも表面が軟らかく、小さな力でも容易に弾性変形する。従って、押圧部４０は、受け部３２の当接面３４と押さえ部材５０の当接面５４との間で挟持され、上下方向から挟まれたがたつきのない保持状態に固定される。
【００１９】
マッサージ具１０の使用方法は、把持部２０を把持して揺動させるようにして押圧部４０がコリのある部分（所謂マッサージのつぼ）に当接させる。その際、延在部３０が撓むことで押圧部４０の揺動動作を増幅するため、把持部３０の操作による変位量よりも大きく押圧部４０を揺動させることができる。一方、押圧部４０は、ウレタン製であるので、利用者の皮膚表面に衝突する際に変形して衝撃を緩和できるので、他の樹脂製あるいはゴム製のものに比べて被押圧部分（皮膚表面）へのダメージを抑制し、同じツボを繰り返したたいても当該皮膚表面に痛みが残らないようにコリを効果的に緩和できる。
【００２０】
特に利用者が高齢の場合には、同じ箇所（ツボ）を繰り返したたいていても、コリのある箇所が痛くならず、たたいた回数を多くするほど血行を促進させてよりマッサージ効果を得ることが可能になる。
【００２１】
さらに、マッサージ具１０では、押圧部４０が軟質ウレタンフォームにより成型されるため、繰り返し使用しても空気圧で弾性が維持されるボールに比べて耐久性が高く、使用回数及び使用年数による劣化が小さいという効果が得られる。
〔変形例１〕
図３はマッサージ具の変形例１を示しており、（Ａ）は正面図、（Ｂ）は平面図である。図３（Ａ）及び図３（Ｂ）に示されるように、変形例１のマッサージ具１０Ａでは、押圧部４０の上面に例えばキャラクタの顔６０が印刷されている。さらに、押圧部４０の先端側には、キャラクタの顔６０に帽子のようにデザインされた押さえ部材５０Ａ、あるいはリボンのようにデザインされた押さえ部材５０Ｂが締結されている。
【００２２】
このように、マッサージ具１０Ａでは、押圧部４０にキャラクタの顔６０を印刷することで、他の商品との差別化が図れると共に、購入者に対して好感度が得られるように工夫されている。
【００２３】
また、上記のようなキャラクタの顔６０の代わりに、利用者の好みに応じて押圧部４０を果物（例えば、リンゴ、ミカン、梨、柿等）あるいは、動物（たぬき、クマ、さる等）に似せた形状や色としても良い。
〔変形例２〕
図４はマッサージ具の変形例２を示す正面図である。図４に示されるように、変形例２のマッサージ具１０Ｂは、把持部２０の上部に扇形状の表示部７０が一体的に設けられている。表示部７０には、マッサージ効果の高い各ツボの位置を模式的に印刷されたり、または各ツボの位置を印刷されたシールを貼り付けることで形成される。
【００２４】
また、表示部７０の表示内容としては、例えば図５に示されるように、人の体形を模式的に表わした図形７２に対応させて各ツボの位置を異なる色のマークａ〜ｑで示してある。
マークａは、例えば頭をすっきり、頭痛、耳鳴り、めまい、ストレス、不眠、痔核を緩和するツボの位置を示す。
マークｂは、例えば鼻血、鼻づまりを緩和するツボの位置を示す。
マークｃは、例えば肩こり、頭痛を緩和するツボの位置を示す。
マークｄは、例えば風邪を予防するツボの位置を示す。
マークｅは、例えば肩こりを緩和するツボの位置を示す。
マークｆは、例えば五十肩を緩和するツボの位置を示す。
マークｇは、例えば頑固な肩こりを緩和するツボの位置を示す。
マークｈは、例えば精神的ストレス解消、不眠、抑うつ状態、物忘れ、気持ちが落ち着かない状態、肩こり、しゃっくりを緩和するツボの位置を示す。
マークｉは、例えば加齢による体力低下、腰痛、便秘、下痢を緩和するツボの位置を示す。
マークｊは、例えば手三里を緩和するツボの位置を示す。
マークｋは、例えば歩行時の疲労やひきつけを緩和するツボの位置を示す。
マークｌは、例えば膝関節の痛み、眠り疲れを緩和するツボの位置を示す。
マークｍは、例えば体全体が重くだるい疲れ、膝痛を緩和するツボの位置を示す。
マークｎは、例えば足三里を緩和するツボの位置を示す。
マークｏは、例えば女性の症状（生理痛、冷え症、更年期障害、足冷えなど）を緩和するツボの位置を示す。
マークｐは、例えば足裏（土踏まず）、消化器の機能を高めるツボの位置を示す。
マークｑは、例えば耳、はつきり、イライラ解消を緩和するツボの位置を示す。
【００２５】
このように、表示部７０には、体全体のマッサージ効果の高いツボの位置が表示されているので、利用者は上記マークａ〜ｑを順番に押圧部４０で押圧することで体全体をマッサージすることができる。そのため、利用者は表示部７０に表示された全てのマークａ〜ｑをマッサージ具１０Ｂにより押圧することで、全身を効率よくマッサージできる。
〔変形例３〕
図６はマッサージ具の変形例３を示す正面図である。図６に示されるように、変形例３のマッサージ具１０Ｃは、延在部３０Ｃが把持部２０Ｃと分離しており、把持部２０Ｃ及び表示部７０Ｃの内部に延在部３０Ｃが摺動可能に設けられている。すなわち、押圧部４０を支持する延在部３０Ｃは、把持部２０Ｃ及び表示部７０Ｃの内部を貫通する挿通孔８０に対して軸方向に摺動可能に挿通されており、軸方向（Ｙａ、Ｙｂ方向）に伸縮可能に取り付けられている。
【００２６】
挿通孔８０は、先端側が小径部８４で基端側が大径部８６となるテーパ部８２を有する。また、延在部３０Ｃは、基端部３８の直径Ｄ１がテーパ部８２の先端側内径Ｄ２と同径となるように形成されている。
【００２７】
図７は変形例３の使用状態を示す正面図である。図７に示されるように、マッサージ具１０Ｃを使用する際には、把持部２０Ｃに対して延在部３０ＣをＹａ方向に引き出す。これにより、延在部３０Ｃの基端部３８が挿通孔８０のテーパ部８２の先端側の小径部８４に嵌合して停止する。
【００２８】
この嵌合状態では、延在部３０Ｃは把持部２０Ｃを揺動させて押圧部４０をツボに押圧させる際の遠心力により、当接部４０がＹｂ方向に戻されないように保持される。また、使用後は、押圧部４０の先端側をＹｂ方向に押圧操作すると、延在部３０Ｃが挿通孔８０内に戻されて図６に示す収納状態になる。従って、使用後のマッサージ具１０Ｃは、全長がほぼ半分程度まで短くなり、例えばバック等に入れて持ち歩く場合に便利である。
【産業上の利用可能性】
【００２９】
上記実施例及び変形例においては、延在部を直線状に延在形成された構成のものを一例として挙げたが、これに限らず、所定の曲率半径を有する湾曲形状としても良いのは勿論である。
【００３０】
また、上記実施例及び変形例では、押圧部４０の形状を球形とした場合について説明したが、これに限らず、球形以外の形状、例えば、円柱形状、あるいは楕円形状などに形成しても良い。
【符号の説明】
【００３１】
１０、１０Ａ〜１０Ｃ  マッサージ具
２０、２０Ｃ  把持部
２２  掛止溝
３０、３０Ｃ  延在部
３１  先端
３２  受け部
３４  当接面
３６  雄ねじ
４０  押圧部
４２  貫通孔
５０、５０Ａ、５０Ｂ  押さえ部材
５２  雌ねじ
５４  当接面
６０  顔
７０、７０Ｃ  表示部
７２  図形
８０  挿通孔
８２  テーパ部
【図１】
0003171544.tif 000003
【図２】
0003171544.tif 000004
【図３】
0003171544.tif 000005
【図４】
0003171544.tif 000006
【図５】
0003171544.tif 000007
【図６】
0003171544.tif 000008
【図７】
0003171544.tif 000009